【手続補正書】
【提出日】平成16年10月7日(2004.10.7)
【手続補正１】
【補正対象書類名】特許請求の範囲
【補正対象項目名】全文
【補正方法】変更
【補正の内容】
【特許請求の範囲】
【請求項１】
部品から放熱するための受動冷却装置であって、
ヒートマスと、
該ヒートマスに接続されて該ヒートマスの外側に延出し、該ヒートマスの軸の周りに対称に位置付けられるステムであって、ダイバータ面、端面、および前記ヒートマスまで延在するステムスロットを間に画定するように離間して配置される複数のステムフィンを含むステムと、
前記ヒートマスに接続され、前記部品を前記ヒートマスに熱的に接続するようになっている取り付け面を含む熱伝導ベースと、
前記ヒートマスに接続され、前記ヒートマスまで延在する一次スロットを間に画定するように離間して配置される複数のベインであって、それぞれが、複数のフィンを画定するように該ベインの一部を通って延在する少なくとも１つの二次スロット、上面、および前記ステムから延在して第１の中間部分で終端する第１の非平面部分を含む内壁を含み、前記第１の中間部分は、前記上面で終端する第２の非平面部分まで延在し、すべての前記ベインの内壁は、前記ステムを包囲するチャンバを画定し、かつ前記第１の非平面部分と前記ステムとの間にキャビテーション部を含んでいるベインと、
前記熱伝導ベースから延在して、前記上面で終端する第２の中間部分で終端する第３の非平面部分を含む外壁と、
気流を発生させる気流源と、
該気流源と該受動冷却装置との間に前記気流を導くダクトであって、前記上面に隣接して位置付けられる第１の開口、および前記気流源に接続されるようになっている第２の開口を含むダクトとを備え、
前記ヒートマス、前記ステム、前記ステムフィン、前記フィン、および前記ベインを通過して、前記ステムスロット、前記一次スロット、および前記二次スロットを流れる前記気流により、前記部品から放熱することを特徴とする受動冷却装置。
【請求項２】
前記気流は、前記キャビテーション部において第１の低圧領域を生成するために作用する負気流であり、前記第１の低圧領域は、前記一次スロットおよび前記ステムスロットを通る第１の吸気流を含み、前記負気流は、前記第１の吸気流が前記ステムスロットを流れるように誘導する、該ステムスロットにおける第２の低圧領域を生成するために作用し、前記負気流は、第２の吸気流が前記一次スロットおよび前記二次スロットを通るように誘導するために作用することを特徴とする、請求項１に記載の受動冷却装置。
【請求項３】
前記負気流は、実質的に前記軸と整列する実質的に層流であることを特徴とする、請求項２に記載の受動冷却装置。
【請求項４】
前記気流は、前記キャビテーション部において第１の高圧領域を生成するために作用する正気流であり、該正気流は、前記一次スロットおよび前記二次スロットを通過する第１の流れ、前記第２の非平面部分からそれて前記一次スロットから出る第２の気流、前記チャンバに入り前記一次スロットから出る第３の気流、前記ダイバータ面からそれて前記一次スロットから出る第４の気流、および前記ステムスロットを通過して前記一次スロットから出る第５の気流を含み、前記第１、第２、第３、第４、および第５の気流の一部は前記第１の高圧領域を通過することを特徴とする、請求項１に記載の受動冷却装置。
【請求項５】
前記正気流は、実質的に前記軸と整列する実質的に層流であることを特徴とする、請求項４に記載の受動冷却装置。
【請求項６】
前記ヒートマスは、前記取り付け面と前記部品との間の直接接続により、該部品に熱的に接続されることを特徴とする、請求項１に記載の受動冷却装置。
【請求項７】
前記取り付け面に接続され、前記ヒートマスを前記部品に熱的に接続するために作用する熱インタフェース材をさらに含むことを特徴とする、請求項１に記載の受動冷却装置。
【請求項８】
前記第１の非平面部分、前記第２の非平面部分、および前記第３の非平面部分のうちの選択された１つまたは複数は、弧状の外形、傾斜状の外形、ならびに弧状および傾斜状の外形の組み合わせからなる群から選択される外形を含むことを特徴とする、請求項１に記載の受動冷却装置。
【請求項９】
前記内壁の前記第１の中間部分、および前記外壁の前記第２の中間部分のうちの選択された１つまたは複数は、実質的に平面状の外形、傾斜状の外形、弧状の外形、ならびに実質的に平面状、弧状、および傾斜状の外形の組み合わせからなる群から選択される外形を含むことを特徴とする、請求項１に記載の受動冷却装置。
【請求項１０】
前記気流源は、専用ファン、システムファン、専用ブロワ、およびシステムブロワからなる群から選択されることを特徴とする、請求項１に記載の受動冷却装置。
【請求項１１】
前記ステムスロットは、前記ベインの前記一次スロットのすべてとは一体にならないことを特徴とする、請求項１に記載の受動冷却装置。
【請求項１２】
前記ステムスロットは、前記ベインの前記一次スロットのすべてと一体になることを特徴とする、請求項１に記載の受動冷却装置。
【請求項１３】
前記ステムの前記端面は、前記ベインの前記上面に対して、前記ベインの前記上面と実質的に同一平面上の位置、前記ベインの前記上面より凹んだ位置、および前記ベインの前記上面の外側に延出した位置からなる群から選択される位置を有することを特徴とする、請求項１に記載の受動冷却装置。
【請求項１４】
前記端面は、実質的に平面状の形状、傾斜状の形状、および弧状の形状からなる群から選択される形状を有することを特徴とする、請求項１に記載の受動冷却装置。
【請求項１５】
前記ステムは、前記軸の周りに対称に配置され、前記端面の内側に延出し、該端面に隣接したアパーチャを含むステムキャビティを含み、前記ステムスロットは、前記ステムキャビティと一体になり、該ステムキャビティは、前記ステムスロットを通る前記気流に対する抵抗を低減するために作用することを特徴とする、請求項１に記載の受動冷却装置。
【請求項１６】
前記フィンの前記二次スロットは、前記ヒートマスまで延在することを特徴とする、請求項１に記載の受動冷却装置。
【請求項１７】
前記ステムスロットは、実質的に前記軸と整列した向きおよび前記軸に対して角度をなす向きからなる群から選択される、前記軸に対する向きを有することを特徴とする、請求項１に記載の受動冷却装置。
【請求項１８】
前記一次スロットおよび前記二次スロットは、実質的に前記軸と整列した向きおよび前記軸に対してある角度にある向きからなる群から選択される、前記軸に対する向きを有することを特徴とする、請求項１に記載の受動冷却装置。
【請求項１９】
前記ダクトの前記第１の開口は、前記外壁の一部と接触していることを特徴とする、請求項１に記載の受動冷却装置。
【請求項２０】
前記ヒートマス、前記ベース、前記ステム、前記ステムフィン、前記ベイン、および前記フィンは、一様に形成されたユニットであることを特徴とする、請求項１に記載の受動冷却装置。
【手続補正２】
【補正対象書類名】明細書
【補正対象項目名】００４４
【補正方法】変更
【補正の内容】
【００４４】
正気流ＦPは、第１の流れＰ１、第２の流れＰ２、第３の流れＰ３、第４の流れＰ４、および第５の流れＰ５を含む、受動冷却装置１０を通る複数の気流に分岐する。第１の流れＰ１は、一次スロットＰおよび二次スロットＳを通過する。第１の流れＰ１は、ベイン２１、フィン２３、およびヒートマス１１から放熱する。第２の流れＰ２は、第２の非平面部分２７からそれて、チャンバ３０を通過して一次スロットＰから出る。第２の流れＰ２は、ベイン２１、フィン２３、およびヒートマス１１から放熱する。第３の気流Ｐ３は、チャンバ３０に入って一次スロットＰから出る。第３の流れＰ３は、ベイン２１およびヒートマス１１から放熱する。第４の気流Ｐ４は、チャンバ３０に入り、ステム１３のダイバータ面１５からそれて、一次スロットＰから出る。第４の流れＰ４は、ベイン２１、ステム１３、およびヒートマス１１から放熱する。第５の流れＰ５は、ステムスロットＳＳを通過して一次スロットＰから出る。第５の流れＰ５は、ステム１３、ステムフィン２４、ベイン２１、およびヒートマス１１から放熱する。正気流ＦPの一部（Ｐ１、Ｐ２、Ｐ３、Ｐ４、およびＰ５）は、一次スロットＰから出る前にキャビテーション部Ｃ1の高圧領域を通過する。